(57)【要約】　　　（修正有）【課　題】溶けたソフトアイスクリーム液が垂れ流れ落ちたとしても、決してコーンを握り持っている手のところへは垂れ流れ落ちて来ないようにする。【解決手段】ソフトアイスクリームを入れる一重構造型コーンの上部器部の外側に、日本刀などの刀剣の鍔と同じ効果を持たせた漏斗型の鍔部を設け、鍔部と器部の間に空間を設ける。空間上部の幅は、溶けて膨らみのある液の先端がスムーズに流れ込める程の幅を明けておき、垂れ流れ落ちてくる液の先端はまず鍔部で受け止めてその空間に流れ込み、コーンの外へは一切垂れ流れ出ないようにして一時その空間に溜め置き、やがて自然に溢れ出る液は器部に数箇所数ミリメートル幅明けている間を流れてコーン胴体内部空間に流れ込み、順次その空間に溜まる仕組みの構造とした。また、補強突起を強度的に必要とする本数だけ設けてコーン胴体部を補強し、食べ終えるまでの間胴体部の堅さを保つ構造とした。【選択図】　　　図１
2004057200.tif 000002
【特許請求の範囲】
【請求項１】
ソフトアイスクリーム等を入れる逆円錐形のコーン容器をウエハース等の材料で製造するものであり、その形態及び構造は、図１の実施例で示す通り一重構造を基本構造とするが、コーン本体上部外側に漏斗型の鍔部（２）を設け、その内側最上部を数ミリメートル幅明けて下段がすぼまっている形状の空間（８）を設けて、その内側に円形の器部（４）が位置している構造になっている。
また、器部（４）は、ソフトアイスクリームを螺旋状に積み上げて入れる突起のある受け台（６）で成っており、器部全体は円形を成していて、その円形には数箇所、数ミリメートル幅の間（９）を明けていることで器部は、数個に分割された受け台が円形を成して器部を構成している。
分割された受け台（６）の間（９）に明けている空間は、コーン本体胴体内部空間（１０）と繋がって連続しており、器部（４）と鍔部（２）の間の空間（８）に、溶けたソフトアイスクリーム液が器部を越えて鍔部に受け止められて流れ落ち込み、一時的にその空間に溜まり留まり、やがて自然に溢れ出る液の先端は、器部と器部の間に明けている間を流れ、コーン本体胴体内部空間に流れ込んで、その空間に順次溜まる仕組みにした構造である。
【請求項２】
溶けて液状になったソフトアイスクリーム液が、器部を越えてコーンの外に垂れ流れ出たとしても、コーンを持っている手には溶けて液状になったどろどろしたソフトアイスクリーム液がベタベタと付着するようなことが一切ないようにしたのが、図１で示す実施例の構造によって、そのことを可能にした本発明の一重構造型鍔部付きのコーン容器である。
その構造は、コーンを握り持ったとき親指と人差し指は自然に丸くして持つことになるのが普通であるから、握り持った手の手前に日本刀などの刀剣の鍔の効用と同じような効果を持たせた、垂れ流れ落ちてくる液状のソフトアイスクリーム液をその鍔部（２）で受け止め、器部（４）と鍔部の間に明けている空間（８）に、一時的に溜め留めることで、コーンを握り持っている手のところへは、溶けたソフトアイスクリーム液は決して流れてくることはなく手を汚すこともない。
鍔部（２）の効果は、液状になってどろどろしたソフトアイスクリーム液がコーンの上部器部（４）の外へ垂れ流れ落ちたとき、上に向かって漏斗型に開いている垂れ流れ液受け鍔部（２）の効果によって、垂れ流れ落ちてくる液を鍔部で受け止めコーンの外側へ垂れ流れ落ちるのを遮ると同時に、器部と鍔部の間の空間（８）に溶けて垂れ流れ落ちてくる液状のどろどろしたソフトアイスクリーム液を、順次溜め留め置きやがて自然に溢れ出る液の先端は、器部に数箇所数ミリメートル幅明けている間（９）を流れ、コーン胴体内部空間（１０）に流れ込む構造にしている。
器部と器部の間に明けている間（９）の幅は、溶けて垂れ流れ落ちてくるどろどろした液状の多少厚みのある膨らみのあるソフトアイスクリームの先端が詰まって塞ぐことがない程度の、しかもその先端がスムーズに流れ込める数ミリメートル幅の間を明けておき、その間を流れてコーン胴体内部空間（１０）に流れ込ませ、その空間に一時溜めて置き、ソフトアイスクリームを食べている人がそれを食べ終わるまでの一定時間、その胴体内部空間に留め置ける構造を有したコーン容器の発明である。
【請求項３】
コーン容器にソフトアイスクリームを入れるとき、それを絡ませながら螺旋状に積み上げる突起のある受け台（６）数個が円形を成して構成してる器部最上部（５）と、鍔部最上部（３）の高さは原則同じ高さとする。またはその高さを変えて数ミリメートル程の段差を付けても良い。
鍔部最上部（３）の高さを、器部最上部（５）より僅か数ミリメートル低くすることにより、器部（４）の受け台（６）にソフトアイスクリームを入れる作業をするとき、器部と鍔部の高さに僅かでも段差が付いていると、その区別が付けやすくなり、器部の円周の縁がはっきりして突起のある受け台の位置が分かりやすくなることで、器部と鍔部の間に明けている空間（８）に誤ってソフトアイスクリームを入れて、その空間を塞いで詰まらせるなどの失敗を、未然に防ぐ効果も高まり、そのことによって、誰がその作業をしても安心して手早く作業ができる。
【請求項４】
器部（４）と鍔部（２）の間に空間（８）を明けていること及び、器部の数箇所に数ミリメートル幅の間（９）を明けていることも、本発明の重要な構造の一つである。
全体は円形を成している器部に、本発明の重要な構造がなされている。それは、円形の器部に数箇所数ミリメートルの間（９）を明けていることによって、器部が数個に分割されており、独立した形の受け台（６）数個が円形を成して器部を構成している。
器部（４）が分割されていることによって、その強度が若干弱まることは否めない。その結果、実際にソフトアイスクリームを螺旋状に積み上げながら入れる作業をする時、あるいは入れ終わった時、ソフトアイスクリームの重みによって器部がぐらついたりねじれたりして壊れることも考えられるので、次のような連結補強構造によって、そのようなことがないようにしている。
例えば、図１、図２に示す実施例のように、分割された器部（４）は、数個の受け台（６）が円形を成して器部を構成することになり、独立した形の受け台は分割されたことにより強度は弱くなることは否めない。よって補強する必要がある。その構造は、それぞれの受け台の外側中心部と鍔部（２）の間を補強板で繋いで一体化することで、器部も鍔部もより強度を増すことができる。よってソフトアイスクリームを入れた重みにも充分耐えられるような構造にできる。よって製造工程中や荷造り、発送、運搬中の破損被害を最小限に押さえることができるようにした。
【請求項５】
柔らかく凍っているソフトアイスクリーム自体の温度と、その表面が接している外気温度との温度差によって、それを食べる人の食べ方や早さの個人差にもよるが食べる早さによっては、ソフトアイスクリームが溶けてどろどろした液状になりその表面を溶けた液が伝って垂れ流れ落ちることになる。その時、垂れ流れ落ちるままにしておくとやがてその先端は、コーンを片手で握り持っている状態が一般的であるから、液状のソフトアイスクリーム液がコーンを握り持っている手にベタベタと付着して手を汚すことになる。
そんな不便を解消するためにソフトアイスクリームを入れるコーン容器に鍔部（２）を設けて、たとえソフトアイスクリームが溶けて垂れ流れ落ちたとしても、コーンを握り持っている手が決して汚れることのない、液がコーンを握り持っている手のところへ決して流れ落ちてこない、垂れ流れる液を完全に握り持っている手の手前で止めることを可能にしたのが本発明のコーン容器である。
もし、ソフトアイスクリームが溶けて垂れ流れ始めたら、普通にに考えると、その液状の先端は、器部（４）の外側を伝って垂れ流れ落ちることになるが、まず鍔部（２）で受け止められ、鍔部の内側と器部の外側の間に明けている空間（８）に、その液の先端は自然に流れ込み、その空間に一時的に溜まり留まることになる。
そして、その空間（８）からやがて自然に溢れ出る先端は、器部（４）に数箇所明けている間（９）を流れてコーン胴体内部空間（１０）に流れ込み、最下部（１１）に至って、順次、その空間に溜まり留まることになる。
その仕組みの構造が、本発明のソフトアイスクリーム溶け垂れ流れ液付着汚れ防止鍔部付き液溜め空間を有する一重構造型のコーン容器である。
【請求項６】
本発明の重要な構造部分である鍔部（２）の役割は、器部（４）の最上部（５）を溶けて液状になった、どろどろしたソフトアイスクリーム液が越えて垂れ流れ落ちたとき、まず、その鍔部で受け止める構造である。そして、器部と鍔部の間に明けている空間（８）に流れ落ち、一時的にその空間に液を溜め留め置き、やがて自然に溢れ出る液の先端は、器部に数箇所明けている間（９）を流れてコーン胴体内部空間（１０）に流れ込み、最下部（１１）に至って、順次、その空間に溜まり止まることになる。
【請求項７】
そして、コーン胴体内部空間（１０）に溜まり留まっているソフトアイスクリーム液は、それを食べている人の食べ方の早さによっては、一定時間その空間に留まり置くことになるが、その間に、コーンの材料などの特性と、液状になった水分の多いソフトアイスクリーム液の影響よって、液が接している胴体部側面が柔らかくなる可能性かある。もし柔らかくなったとしたら、コーン胴体部を握り持っている外側まで影響を及ぼし柔らかくなり、ふにゃふにゃして持ちにくくなったり、握る力の加減によっては胴体部を潰すことも考えられる。
そんな状態を防ぐためにコーン胴体部（１）を補強している。その構造は、胴体部の外周面に三角形や板形、半円形、半楕円形等の高さ数ミリメートルの補強突起を、強度的に必要な本数の突起（１５）を設けて、外側から胴体部を補強している。
【請求項８】
あるいは、胴体内部側面にも同様の補強突起（１２）を設けて胴体部を補強することもできる。また、構造としては多少複雑にはなるが、胴体部の外側補強突起（１５）と内側補強突起（１２）を同時に設けることにより、さらにその効果を高めることができる。
【発明の詳細な説明】
【０００１】
【発明の属する技術分野】
本発明は、アイスクリーム、あるいは、ソフトアイスクリーム等を入れる容器として用いるコーン容器の発明である。
コーン本体は、基本的には逆円錐形を成していて、その構造は、コーンを手で握り持つ部分の胴体部（１）があって、その胴体部上部に繋がって一体化した器部があり、その最上部は、ソフトアイスクリームを絡めて入れる突起のある受け台（６）があって構成された器部（４）は円形を成していて、円形の数箇所に数ミリメートル幅の間（９）を明けていることで、器部は数個に分割された構造で円形を成した器部と、その外側に胴体部と器部が一体化した部分で、やはり同じく一体かして器部の外側に漏斗型に広がった鍔部（２）があって、コーン胴体部の上部を構成して、下部は胴体部となり合わせて全体を構成し、コーン容器となる発明である。
ウエハース等の食べられる材料で製造したコーン容器に入れたソフトアイスクリームが、それを食べている途中で、ソフトアイスクリーム自体の温度とその表面が接している外気の、外気温度との温度差による影響によって、ソフトアイスクリームの表面が溶け始め、溶けて液状になったどろどろしたソフトアイスクリーム液が、コーンの外側を伝って垂れ流れ落ち、それを握り持っている手にベタベタと付着するのを、今まではまったく防ぎようがなかった。
そんな不便を防止し、解消するために容器として用いるコーン本体上部のソフトアイスクリームを入れる器部（４）と胴体部（１）とが一体化している付け根で、同じく一体化して分かれる形で器部の外側に、漏斗型に上に向かって広がる鍔部（２）を設けている。
そのことによって、溶けて液状になって流れ落ちてくるどろどろしたソフトアイスクリーム液をまず鍔部（２）で受け止めて、一時的に器部（４）と鍔部の間の空間（８）に溜め留め置くことで、溶けて垂れ流れる落ちる液は決して、コーンを握り持っている手のところに流れ落ちてこないようにしたものである。
また、器部最上部（５）の高さと鍔部最上部（３）の高さは、基本的には同じとするが、器部（４）と鍔部（２）に僅か数ミリメートル程度の段差をつけて、高さを変えることによって、器部と鍔部の区別がはっきりして分かりやすくなることも事実である。
そのことで得られる効果は、ソフトアイスクリームを器部（４）の受け台（６）に螺旋状に積み上げて入れる作業をする時に、器部の円周の縁からソフトアイスクリームの先を外にはみ出すこともなく、適切にスムーズにしかも手早くその作業が出来ることを要求されている作業であるから、そのことによって、入れる作業をする人が、経験者であっても未経験者であっても誰であっても、器部の位置確認が分かりやすいため、失敗は殆どないと考えられる。
また、器部（４）と鍔部（２）の間に空間（８）を明けていることで、溶けて垂れ流れ落ちてくるソフトアイスクリーム液は、その空間（８）に流れ落ち、一時的にその空間に溜まり留まって、やがて自然に溢れ出る多少厚みのある膨らみのあるどろどろした液の先端が、スムーズに流れ込める程の数ミリメートル幅の間（９）を明けている器部の数箇所の間を流れて、コーン胴体内部空間（１０）に流れ込み、最下部（１１）に至って、液は、順次その空間に溜まる仕組みの構造になっている。
また、図５（ｂ）で示す実施例のように、器部（４）と鍔部（２）の間の空間（８）で、器部外側面（１６）は必ず垂直でなければならない。外側面最上部から垂直に下ろして鍔部内側面（１７）とぶつかる点図５（ｂ）（Ａ）まで垂直であること。もしくは、僅かに裾広がりであることが、コーン製造過程において必要な構造であり、本発明の重要な構造部分の一つである。
次に、鍔部（２）の形状は、漏斗型に内側に向かってすぼまり、鍔部と器部外側面（１６）がぶつかる点図５（ｂ）（Ａ）で一体となり、器部内側面（２６）との接点点図５（ｂ）（Ｂ）で、コーン胴体部と一体化して最下段（１３）に至り、コーン本体全体を構成する構造となる。
本発明によるコーン容器は、ソフトアイスクリームが溶けて垂れ流れ落ちてくる、多少厚みのある膨らみのあるどろどろした液が、コーンの器部（４）を越えて垂れ流れ落ちたとしても、器部の外側に設けている鍔部（２）で受け止め、器部と鍔部の間の空間（８）に流れ込むことで、コーン胴体部を握り持っている手のところへは決して垂れ流れ落ちてこない。よって、今までの不便を完全に解消することができる。
ソフトアイスクリームを食べる人が順次食べ進み、コーン本体の上部からしだいにコーン本体胴体部（１）に食べ進み、最後にコーンと胴体内部空間（１０）に溜まっている液状のソフトアイスクリームを一緒に食べ終わるまで、コーン胴体内部空間に流れ落ちてきた液を、溜め留められる構造にしたものである。
コーン本体の上部外側に漏斗型の鍔部（２）を設けた構造にしているが、その形状は、外側も内側も上部から鍔部の下段まで漏斗型にすぼまった構造をしている。また、コーン全体の形状は逆円錐形である。あるいは、逆角錐形を成した構造であってもよい。したがって、柔らかく凍らせたソフトアイスクリームの温度と、その表面が外気と直接接している部分の外気温度との温度差や、湿気や直射日光などの影響によって、それを食べる人の早さなどの個人差にもよるが、食べる早さによってはソフトアイスクリームが溶けて液状になり、垂れ流れ落ちるケースも度々ある。
そんな時、本発明のコーン容器の構造により、溶けて液状になって器部（４）の外側（１６）を伝って流れ落ちてくるソフトアイスクリーム液を、漏斗型に設けている鍔部（２）がまず受け止め、鍔部と器部の間の空間（８）に流れ落ちて一時的にその空間に液を溜めて留め置き、やがて自然に溢れ出る液は、器部に数箇所明けている間（９）を流れて、コーン胴体内部空間（１０）へ流れ込み、最下部（１１）に至って、順次、その空間に溜まる仕組みの構造にしている。
従って、ソフトアイスクリームが溶けて垂れ流れた始めたとき、たとえそのまま垂れ流れ落ちるままにしておいても、鍔部（２）を越えてコーン胴体部（１）を握り持っている手のところへ、液は決して垂れて流れてくることはないのである。
ソフトアイスクリームの先端部分（１９）から食べ始めゆっくり食べて、やがてコーンのところまで食べ進み、コーン胴体内部空間（１０）に溜まっている溶けたソフトアイスクリーム液と一緒に、コーンの最後まで全部を食べ切るまで、コーンを握り持っている手のところへは一切、液は垂れ流れてこないし、ましてその液で手を汚すことなども一切ない構造である。
老若男女はもちろん、場所によっては食べさせて貰えなかった子供達、小学生低学年や幼稚園児、保育園児なども、本発明によって、誰でもが、各々、自分のペースで安心してゆっくりコーンの最後まで、全部を食べられるようにしたのが、本発明のコーン容器である。
器部（４）を越えて垂れ流れ落ちる液の先端は、まず、コーン上部外側に設けた鍔部（２）で受け止められて、鍔部と器部の間に明けている空間（８）に流れ込み、その空間に一時的に留め置かれた液は、やがて自然に溢れ出て器部に数箇所数ミリメートル幅明けている間（９）を流れて、コーン胴体内部空間（１０）に流れ込み最下部（１１）に至り、順次、溜めながら一定時間、その空間に留め置くことのできるソフトアイスクリーム溶け垂れ流れ液付着汚れ防止鍔部付きの液溜め空間を有する一重構造型鍔付きコーン容器に関するものである。
【０００２】
【従来の技術】
従来型の、ソフトアイスクリーム用の容器として使用されているコーンカップ（図１５（ａ）、図１６（ａ））は、一例ではあるが現在使用されているコーンカップである。その殆どは同様に一重構造のものが多く、単にコーンカップの内側が空洞になっている逆円錐形を成したウエハース製等の容器である。
従って、単なる逆円錐形の一重構造型コーンの上部器部（２２）にソフトアイスクリームを入れるとき、その先端を短い突起（２３）を付けた器部で受けて、ソフトアイスクリームを螺旋状（図１５（ｂ））に積み上げながら入れただけであった。
特に、夏の暑い日には、柔らかく凍らせたソフトアイスクリームの表面は、暑い日差しや蒸された湿気の外気に直接触れていることで、当然、それを食べる早さによっては、個人差にもよるが、食べている最中にソフトアイスクリームの温度と外気温度の温度差によって、その表面が溶け始め、コーンの器部（２２）を越えて胴体部（２４）の外側を伝って図１５（ｂ）で示す実施例のように、溶けたソフトアイスクリーム液が垂れ流れ落ちることになる。
従来型のコーンは、単なる一重構造であるために、溶けて垂れ流れ落ちる液状になったソフトアイスクリーム液が、コーン胴体部（２２）を握り持っている手に、どんなに注意をしていても、ベタベタと付着して手を汚すことは防ぎようもなく汚れるままであった。その不快感はどうしようもなく、また、不潔だったのがこれまでの状況であった。
特に、ソフトアイスクリームが好きな小さな子供達、小学生低学年や幼稚園児、保育園児などに食べさせる時には、そんな状態になるのは毎度のことで、その度に、付き添っている親たちは、その後始末に手を焼いているのも現状の光景である。
しかし、従来型のコーン容器においても、溶けて垂れ流れ落ちてきて、コーンを握り持っている手を汚す状態を何とかしようと考えて、それなりの、多少の工夫をしているものも図１６（ａ）に示すような実施例もあるにはある。
コーンの最上部を広げて、花びら風の形状にした垂れ流れ液受け部（２５）を設けていることで、垂れ流れ落ちてくる液が、そのまま直にコーンを握り持っている手に流れ落ちてきて付着しないように、取り敢えず、花びら型の垂れ流れ液受け部で一度受け止める工夫はしている。
しかし、そんな工夫も一時しのぎの気休め程度に過ぎない。なぜなら、溶けて垂れ流れ落ちてくるどろどろした液状のソフトアイスクリーム液を、一時的に、花びら型に広げた液受け部（２５）で受け止めることはできるが、一度溶けて垂れ流れ始めると、後はとめどなく溶けてとめどなく流れ落ちてくることになるのが、ソフトアイスクリームの特徴でもある。したがって、溶け始めて流れ落ち始めたならもう止めることは出来ない。液は、花びら型の受け部円周のいたるところに溜まることになる。
溜まった液は、ちょっと油断すると、そこから床や地面に滴り落ちたり、コーンを伝って、握り持っている手に付着することになり、工夫の効果は意味をなさないことになる。
もし、そこに溜まっている液状のソフトアイスクリーム液を滴り落とさないようにしようとしたら、コーンを常に水平に保ちながら食べなければならない。少しでも揺らしたり斜めにしたなら、直ちに液は低い方に流れ集まって溢れ、そこから滴り落ちることになり、コーンを伝って垂れ流れ落ち握り持っている手にベタベタと付着して、結果、後始末に困ることになる状態は同じである。
また、食べる場所が屋内なら、その床などに液を滴り落として汚すことになりかねない。もし、滴り落としたソフトアイスクリーム液をそのままにして立ち去るなら、それは、マナー違反であり、見た目にも見苦しくあまりよい風景とは言えない。
従来型の、ソフトアイスクリーム用の一重構造型コーン（図１５（ａ）、図１６（ａ））は、単にソフトアイスクリームを入れる容器としての用途だけに限る目的で開発されたものであると言える。溶けた液が垂れ流れ落ちて、コーンを握り持っている手にベタベタと付着して、後始末に大変困る食べる人のことまであまり考慮しているとは言い難いのが、現在使用されているコーン容器である。
【０００３】
【発明が解決しようとする課題】
従来型のコーンは、ソフトアイスクリームを食べるときに、人によっては多少の個人差はあるものの、例えば、大人と子供、小学生低学年や幼稚園児や保育園児、あるいは老若男女の差によっても食べる早さは違うのが普通である。
柔らかく凍っているソフトアイスクリーム自体の温度と、外気に接している表面の外気温度との温度差によっては、ソフトアイスクリームが溶けて液状になり垂れ流れ落ちる場合も多い。そして、垂れ流れ落ちる液は、コーン容器の器部を越えて、コーンの外側へ垂れて流れ落ち、コーンを握り持っている手にベタベタと付着することになるが、従来型のコーンは、そんな状況になった時、それを防ぐ手立ては殆ど考慮されていない。食べている人は、ただ汚れる成り行きに任せるしかないのが現状である。そして、何とかして手を汚さないように工夫しなければならないのは、食べている個人個人に任せていたのである。
しかし、何の手立ても方法もなく、もし、手が汚れるなどを避けようと思ったら、溶け始める前に急いで食べ終わるか、あるいは、溶けて垂れ流れる液の先端をひたすら嘗め続けるしか方法はなく、そんな原始的な方法でしか防ぐ手立てがないのが、現在使用されているコーン容器である。
そんな原始的な方法だと言われても、今まではそんな方法であっても実行するしかなく、もしそれを実行しなければ、コーンを握り持っている手にベタベタと溶けて垂れ流れ落ちてくる液がとめどなく付着しても、そのまま汚れるままにしておくしかなかったのが現状で、決して美しい光景とは言えない。
どうしてもその事を防ぎたいと思うなら、ソフトアイスクリームが溶け始めたら、直ちに食べるのを諦めて中止し、残ったソフトアイスクリームを処分するなりすれば手を汚さなくて済むが、無駄の多い防ぎようという問題点もあった。
【０００４】
【課題を解決するための手段】
上記の問題点を解決するために、本発明は、ソフトアイスクリームを食べる時に、食べる人の食べ方などの個人差にもよるが、食べる早さによっては柔らかく凍っているソフトアイスクリームの温度と、その表面が接している外気温度との温度差によって溶けて液状になったどろどろしたソフトアイスクリーム液が、コーンの外側を伝って垂れ流れ落ち、それを握り持っている手にベタベタと付着するような不便が一切無いようにしたものである。
その構造は、基本的には一重構造型ではあるが、コーン本体上部器部（４）の外側に、日本刀などの刀剣に見られる刀の鍔の役目のような鍔部（２）を設けたことである。
本発明に基づいて、一重構造ではあるがコーン本体上部器部（４）の外側に、鍔部（２）を設けることにより図１、図２、図３、図４、図５、図６、図７、図８、図９、図１０、図１１、図１２、図１３、図１４に示す実施例によって問題点を解決したものである。
ソフトアイスクリームが溶けて液状になり、コーンの外側を伝って垂れ流れ落ちたとしたら、もう一切の防ぎようもなかったのが、従来型のコーン容器の弱点であった。その弱点を本発明は、すべて解決したのである。
溶けて液状になったソフトアイスクリーム液が、たとえ垂れ流れ落ちても、そのままの状態にしておいても、コーンを握り持っている手のところには、決して液は流れ落ちてこない。したがって、今までのコーン容器のように、溶け始め、垂れ流れ落ち始めたらもうどうしようもなく、後は手にベタベタと付着するままにするしかなく、気持ちの悪い思いをしていたが、本発明のコーン容器を使用すれば、一切そんな状態にはなり得ないのである。
そのことによって、大人はもちろん、これまでは親たちの手助けが必ず必要としていた小学生低学年や、幼稚園児や保育園児も誰でもが、安心してゆっくりとソフトアイスクリームを味わいながら、楽しみながら食べられるようにしたものである。
【０００５】
【発明の実施の形態】
本発明は、ソフトアイスクリームを入れる容器として用いるウエハース製等のコーン容器を、一重構造（図１、図３、図４、図５、図６、図７、図８、図９、図１０、図１１、図１２、図１３、図１４）ではあるが、コーン容器の本体上部器部（４）の外側に鍔部（２）を設けることによって、従来型の一重構造型コーン容器（図１５（ａ）、図１６（ａ））等を使用してソフトアイスクリームを食べている時に、溶けて、液状になったソフトアイスクリーム液が垂れ流れ落ちて、コーンを握り持っている手にベタベタと付着して手を汚すなどの不便を解消した発明である。
従来型の、一重構造型コーンの器部（２２）に入れたソフトアイスクリームが、溶けて液状になりコーンの外側を伝って垂れ流れ落ち、コーンを握り持っている手にベタベタと液が付着して手を汚していた。
そして今までは、食べている人の多くの人は、ソフトアイスクリームを味わって食べるというよりは、むしろ、そんな状態にならないように溶けないうちに、いかに早く食べるかのことを気にしながら食べていたのが本音であった。
どんなに注意して食べていても、ちょっと油断していると溶け始めて、もう、どうにも手に負えない状態になることがたびたびあった。そんな状態になったら諦めてなるが侭にまかせるしかなく、後は自分なりの後始末の仕方で処理をしていたのが現状であった。
コーンを握り持った手がベタベタと汚れて、その後始末に困ったという光景が、ソフトアイスクリーム等を販売している販売場所では、たびたび見られた光景である。そんな不便を完全に解消し、解決したのが本発明の一重構造ではあるが、コーン本体上部器部（４）の外側に新たに鍔部（２）を設けることで、溶けて液状になったソフトアイスクリーム液が、コーンを握り持っている手のところへまったく垂れ流れ落ちてこないようにしたコーン容器の発明である。
【０００６】
上記の一重構造型コーン図１、図３、図５、図７、図８、図１４で示す実施例のように、器部（４）の外側に鍔部（２）を設けることによって、従来から使用している一重構造型のコーン図１５（ｂ）、図１６（ｂ）のように、溶けて液状になったどろどろしたソフトアイスクリーム液が垂れ流れ落ちて、コーンを握り持っている手に付着してベタベタと汚れるなど、食べている人が最後に気持ちの悪い思いをするなどを殆ど考慮していない、単なる器としての用途に限っていたと思われるのが、現在広く使われている従来型の一重構造型コーンである。
それをもう一歩進めて、アイスクリームやソフトアイスクリームがたとえ溶けて垂れ流れ落ちたとしても、コーンを握り持っている手のところには決して垂れ流れ落ちてこない、したがって、持っている手にはまったく液が付着する心配のない、コーン容器を製造することに主眼をおいて、一重構造型コーンの上部外側に鍔部（２）を設けたコーン容器の発明である。
【０００７】
コーンの器部（４）と鍔部（２）の間に空間（８）を明けていることも、本発明の重要な構造である。
コーンの器部（４）と鍔部（２）の間に明けている空間（８）の重要性は、溶けて垂れ流れ落ちてくる液状になった、多少厚みのある膨らみのあるどろどろしたソフトアイスクリーム液は、水のようにさらさらしているわけではなく、その先端はどろどろした状態で、かつ多少の厚みもあり膨らみもある。したがってコーンの器部と鍔部の間の空間が狭すぎると、そんな状態の液の先端がその空間を塞いで詰らせることも考えられるので、その空間の最上部の幅は、垂れ流れて落ちてくる液の先端の厚みと、膨らみの大きさの最大より、僅かでも広い数ミリメートル幅明けた構造にしている。
【０００８】
また、コーン容器の材料は、ウエハース製等、容器として適度な堅さを要しながら成型でき、しかも食べられる材料のものを使用することも重要である。
本発明を実施するにおいては、ウエハース製容器、あるいは食べられるその他の材料によってコーン容器等を製造するものである。
その製造方法は、従来の一重構造型コーン図１５（ａ）、図１６（ａ）、その他の従来型コーン容器の製造方法と同じ製法によって製造できる。ただし、型枠については、本発明の設計による一重構造型コーンの上部器部（４）の外側に鍔部（２）を設けて、器部と鍔部の間には空間（８）を設けた構造である。そして、器部（４）には数箇所数ミリメートル幅の間（９）を明けた構造の型枠を使用することになるが、形状は多少変わるものの、製造方式、製造方法等は従来方式とまったく変わらないので、製造技術においても従来どおりの技術で製造でき、新たに技術習得等を必要としない利点がある。
【０００９】
【実施例】
実施例については、図面の図１、図２、図３、図４、図５、図６、図７、図８、図９、図１０、図１１、図１２、図１３、図１４を参照して説明すると、コーン本体となる一重構造を基本構造とした適度の厚みのあるコーンの外側、本体胴体部（１）を片手で握り持って、ソフトアイスクリームを上部器部（４）の受け台（６）の突起部に絡ませ入れながら、螺旋状に一定の高さまで積み上げたソフトアイスクリームを、人が片手でコーンを握り持って食べることを想定すると、一般的には、人はコーンをほぼ垂直に保ちながら握り持つであろうと考えられる。
なぜなら、その持ち方が一番握りやすく持ちやすいと考えられるからである。また、ほぼ垂直で持つ方が、螺旋状に積み上げた柔らかく凍ったソフトアイスクリームが、コーン容器からずれて落ちたり、途中から折れて落ちるなどの確立が一番少ないと考えられるからである。また、コーン容器を片手で握り持つことを考えると、邪魔にならない適度な太さと長さにすることも大切な要素である。
基本的な形状としては、片手で握り持ちやすいと考えられる、逆円錐形を基本型とし、あるいは、逆三角錐、逆四角錐、逆五角錐、逆六角錐、逆八角錐などの逆角錐形であっても良い。
また、コーン最上部の高さは、器部最上部（５）と、鍔部最上部（３）の高さを原則同じとする。
ただし、コーンにソフトアイスクリームを入れる作業をする時のことを考慮すると、作業者がコーンを持ち、ソフトアイスクリームが機械から出てくるのを器部（４）の受け台（６）で受けて入れる瞬間に、コーンを上から見た時、器部と鍔部（２）の区別を即座に見分けられて、ソフトアイスクリームの先端を躊躇なく器部の受け台の突起にしっかり絡ませて、しかも器部の円周の縁からはみ出さないように的確に入れる必要性を考えると、器部（４）と鍔部（２）の境目がはっきり分かり、その区別が付けやすいことは、ソフトアイスクリームをコーンの器部に入れる作業を誰が行っても手早く失敗せずに出来ることになる。
その効果は、器部最上部（５）と鍔部最上部（３）の高さが同じである場合も、器部と鍔部の間に空間（８）を明けていることで、その区別ははっきり付けられることで、その目的は充分に達せられる。
また、その効果をもう少し高めようとすることで、コーン容器の製造工程において製品に悪影響を及ぼさない範囲で出来るなら、器部（４）と鍔部（２）の最上部の高さを僅か数ミリメートル程度の段差をつけて、鍔部（２）を器部（４）より低くすることによって、器部が飛び出たように見えて器部受け台の位置確認が即座にはっきりと見極められ、作業効率もよくなると考えられるので、場合によっては、それらの高さを変えて段差を付ける構造も可能である。
もちろん、コーン最上部の高さは揃っている構造が、製造工程においても不良品の出る確率が最も低いと考えられるので、構造の基本型は、原則として高さが揃っていることが本発明の基本構造であることに変わりはない。
【００１０】
ソフトアイスクリームをコーン容器に入れる作業をする時、作業者が器部（４）の円周の縁からソフトアイスクリームの先端をはみ出させて、器部と鍔部（２）の間に明けている空間（８）を塞いで詰まらせたなら、せっかく鍔部を設けて、溶けて垂れ流れ落ちてくる液状になったどろどろした多少厚みのある膨らみのあるソフトアイスクリーム液を、まず鍔部で受け止めて、器部と鍔部の間の空間に流れ込ませ、一時的にその空間に溜め留め置くという本来の目的が達せられなくなる。
ソフトアイスクリームを入れる作業をする時、器部（４）と鍔部（２）の区別がよりはっきり分かるなら、そんな失敗をする心配もなく、その作業をする人も躊躇することもなく、手早くスムーズに作業が行えると考えられる。
例えば、ソフトアイスクリームを販売している販売所の販売員等が、店頭でコーン容器にソフトアイスクリームを入れる作業をするとき、ソフトアイスクリームの先端を器部受け台（６）の突起に絡ませながら螺旋状に積み上げて、一定の高さで止めて完成させることになるが、その作業を行う者の性格や、技術力や注意力の優劣によっては、器部（４）と鍔部（２）の間に明けている空間（８）に間違えてソフトアイスクリームの先端を入れ、その空間を塞いで詰まらせることも考えられる。
もし、器部（４）と鍔部（２）の間の空間（８）をソフトアイスクリームの先端で塞いで詰まらせたなら、溶けて流れ落ちてくるソフトアイスクリーム液を、まず鍔部で受け止めて、その液の先端を、その空間に流れ込ませるように明けている器部と鍔部の間の空間なのに、その空間が塞さがって詰まっていたら、その上を流れて鍔部を越えて、コーン本体の外側に垂れ流れ落ちることになる。結果、コーンを握り持っている手にどろどろしたソフトアイスクリーム液がベタベタと付着することになり、従来型の単なる一重構造型のコーンと何ら変わらないことになる。
しかし、本発明によるコーン容器はそんな不便を解消するために、コーンを握り持つ手の手前に鍔部（２）を設けていることと、鍔部と器部（４）の間に明けている空間（８）は、垂れ流れ落ちてくる液を確実に流し込めるほどの幅を明けていることで、その空間を手前に配する鍔部で、まず液の先端を受け止めた液をその空間で一時溜め留め置く構造になっている。
【００１１】
コーン上部器部の外側に設けている鍔部（２）の形態は、図５（ｂ）で示す実施例で説明すると、器部外側垂直面（１６）、もしくは僅かに裾広がりの下段と、逆円錐形を成して漏斗型にすぼまる形の鍔部がぶつかる点（Ａ）で、器部と一体となり、さらに少し下がって器部内側面（２６）が漏斗型にすぼまった器部内側最下段のところでぶつかる点（Ｂ）で、本体胴体部（１）と一体となり、そこで鍔部と器部とコーン胴体部が合わさって一体となり、コーン本体を形成する。尚、器部（４）と鍔部（２）の最上部の高さは同じ高さで揃っていることが基本構造であるが、もし必要なら、鍔部（２）の高さを器部（４）より僅か数ミリメートル程度低くすることで、器部が目立ち、鍔部と器部の区別がはっきりして、ソフトアイスクリームを器部の受け台（６）に入れる作業の効率も良くなり、器部の円周の縁からはみ出して、器部と鍔部の間の空間（８）を塞いで詰まらせるなどの失敗を無くせるなら、この構造も可能である。
【００１２】
コーン上部の器部（４）と鍔部（２）の間にソフトアイスクリームが溶けて垂れ流れ落ちるとき、多少厚みのある膨らみのあるどろどろした液状になるが、その先端がスムーズに流れ込めるほどの適度な幅を、器部と鍔部の間に空間を明けておくことも重要な構造である。
【００１３】
図５（ａ）、図５（ｂ）に示す実施例を参照して説明すると、本発明の重要な構造は、溶けて液状になった多少厚みのある膨らみのあるどろどろしたソフトアイスクリーム液が、コーンの外側に垂れて流れ落ちないように、コーンの器部（４）の外側に、垂れ流れ落ちてくる液の先端を、まず受け止める鍔部（２）を設けていること。そして、次々に流れ込んでくる液を受け止め、一時的に鍔部と器部の間に設けて明けている空間（８）に溜め留め置き、やがて自然に溢れ出る液は、円形を成した器部に、数箇所数ミリメートル幅明けている間（９）を流れてコーン本体胴体内部空間（１０）に流れ込み、最下部（１１）に至って、順次、その空間に溜まる仕組みの構造にしているコーン容器の発明である。
また、コーン容器の本体全体の構成は、図１で示す実施例のように、コーン上部内側にソフトアイスクリームを入れる円形を成した器部（４）があり、その器部を囲む形で、溶けて垂れ流れ落ちてくるソフトアイスクリーム液をまず受け止める鍔部（２）が外側にある。
その器部（４）と鍔部（２）がそれぞれの最下段で一体となり、その一体となったところで本体胴体部と一体になり、そこで鍔部と器部と胴体部が合わさって一体化してコーン本体となり、コーン全体を形成する構造となっている。
また、器部（４）、鍔部（２）、胴体部（１）それぞれの構造における役割を説明すると、まず器部は、ソフトアイスクリームを螺旋状に一定の高さまで積み上げて入れる器となる部分である。
その構成は、図１、図２、図３、図６で示すように器部全体は円形を成しており、その上部にはソフトアイスクリームを入れる時にその先端を受けやすく、ずれないように絡める突起のある受け台（６）で構成されており、器部全体の形状は、内すぼまりの漏斗型を成しており、その外側面（図５（ｂ）（１６））は、垂直もしくは僅かに裾広がりは可能である。
また、内側面（図５（ｂ）（２６））は逆円錐形を成して漏斗型にすぼまった円形に、数箇所数ミリメートル幅の間（９）を明けていることで、器部は、数個に分割されているが、全体は円形を成して器部を構成している構造である。
次に鍔部（２）の形状を説明すると、外側面を垂直にした器部最上部（５）から、溶けて垂れ流れ落ちてくるソフトアイスクリーム液を、一時溜めて留め置く空間（８）を中に挟んで器部（４）を囲むようにその外側に設けている。
内側にすぼむ形で漏斗型にすぼめた内側面（１７）最下部（図５（ｂ）（Ａ））と、器部外側垂直面（１６）の下部でぶつかる点（図５（ｂ）（Ａ））で、まず器部と一体となり、器部内側面（２６）の下部（図５（ｂ）（Ｂ））で、器部と鍔部と胴体部（１）は一体となって最下部（１３）に至り、コーン本体全体を形成する構造になっている。
また、器部（４）と鍔部（２）の間に明けている空間（８）については、鍔部最上部（３）から内側にすぼむ形で漏斗型にすぼまっている鍔部内側面（１７）と、器部外側垂直面（１６）の間の空間（８）の最上部の幅は、溶けて垂れ流れ落ちてくる多少厚みのある膨らみのあるどろどろした液状のソフトアイスクリーム液の形状が、どんな形状であろうと、その先端がスムーズに流れ込める程の数ミリメートル幅を明けている構造にしている。
空間（８）の形状で、内側面は、器部（４）の外側垂直面（１６）と同一であるから空間の内側面は当然垂直面である。また、空間（８）の外側面（１７）は、鍔部（２）の内側面（１７）と同一であるから当然漏斗型にすぼまっていて、器部（４）と鍔部（２）の間に明けている空間を成している。
その空間（８）の役割は、器部（４）を越えて垂れ流れ落ちてくる溶けたソフトアイスクリーム液を、まず鍔部で受け止め空間に流れ込ませ、一時その空間に液を溜め留まらせ置き、しだいに溜まる液は、やがて自然に溢れ出る液の先端は、器部に数箇所数ミリメートル幅明けている間（９）を流れてコーン本体胴体内部空間（１０）に流れ込み、最下部（１１）に至って、順次、その空間に溜まる仕組みの構造になっている。
【００１４】
コーン本体の厚みは、製造に影響を及ぼさない範囲内で出来るだけ厚みをもたせている。また、図３、図４、図５（ａ）、図７、図８、図９、図１０、図１１、図１２、図１３の実施例で示すように、コーン胴体部の外側、あるいは内側に、高さ数ミリメートルの突起（１５）（１２）の三角形、あるいは板状か半円形か半楕円形の突起を設けて胴体部（１）を補強している。
その必要性は、コーン胴体内部空間（１０）に、溶けて多くの水分を含んだ液状の状態になっているソフトアイスクリーム液が、その空間に流れ込んで一定時間溜まり留まることになる。
食べる人の食べ方の早さにもよるが、ソフトアイスクリームとコーンを全部食べ終わるまでの一定時間、しかも、食べる時間が最長かかる人のおおよその時間を推定して、その人が食べ終わるまでに必要とする時間の一定時間、その空間に溜まり留まっている液の量と、留まっている時間によっては、コーンを形成している材料の材質特性によって、水分を吸収するなどの影響により、コーンの胴体内部側面がふやけて柔らかくなる可能性は否定できない。
そのことによって、手で握り持っている胴体部（１）がつぶれたり、破れたりの破損する可能性も考えられる。
そんな不便を防ぐための対策の一つの方法は、コーンの厚みを製造時に影響の出ない範囲で、出来るだけ厚み厚くする構造によって、コーン全体の堅さを確保している。また、コーン胴体部（１）の下部に行くほど厚みを厚くすることで、コーン胴体内部空間（１０）に溜まり留まっている水分の多いソフトアイスクリーム液とコーンの材質特性による影響で、胴体内部側面がふやけて柔らかくなることは否めない。そんな影響をコーン胴体内側面で抑えられるようにして、外側までその影響が及ぶ時間を長引かせるために、ある程度の時間堅さを堅持できるようにしている。
【００１５】また、次の構造を用いてコーン胴体部が柔らかくなるのを防いでいる。その構造は、溶けて液状になったソフトアイスクリームは多くの水分を含んでどろどろした状態になるのは否めない。そして、コーン本体胴体内部空間（１０）に流れ込んで一定時間、その空間に溜まり留まることになるが、その間に、胴体内部空間の側面が、水分を吸収してふやけた状態になり、内側面が柔らかくなって、さらに時間が過ぎるとやがて外側面まで影響されて柔らかくなり、手で握り持っているコーンの胴体部（１）が持ちにくくなったり、破れたりの破損も考えられる。しかし、そんな不便も次に示す構造によって解消している。図３、図４、図５（ａ）、図５（ｂ）、図７、図８、図９、図１０、図１１、図１２、図１３に示す実施例の通り、胴体部の外側に高さ数ミリメートルの補強突起（１２）を設けて、そんな不便を解消している。
食べる人の食べ方や早さにもよるが、コーンの最下段（１３）まで全部を食べ終わるまでに必要とする、最も時間のかかる人のおおよその時間を推定して、その人が食べ終わるまでに必要な時間の一定時間、徐々に柔らかくなりつつあるコーン胴体部（１）を、手で握り持っている力によって、潰れたり破れたりの破損しないで持ち堪えられるだけの強さを得られる数ミリメートルの厚みと高さの補強突起を、持ち堪えられるだけの強さを確保できる本数の補強突起を、胴体内外部側面に設けることにより、溶けて多くの水分を含んだソフトアイスクリーム液をコーン胴体内部側面が吸収して柔らかくなったとしても、設けている補強突起の効果によって、コーンを食べ終えるまでしっかりとコーン胴体部の堅さを保つことができる構造にしている。
柔らかくなっているコーンと、溶けてどろどろした液状のソフトアイスクリームとを、最後に味わえる新しい味の提供も一つの提案である。
【００１６】
【発明の効果】
本発明は、以上説明したような形態で実施され、以下に記載されるような効果を奏する。
【００１７】
コーンの上部外側に鍔部（２）を設けることにより、一般的に多く使われている普及品のコーン容器にソフトアイスクリームを入れる時、その先端から螺旋状に積み上げて山盛りに入れることを商品価値にしているが、現在使われているコーン容器には決定的な難点がある。
それは、ソフトアイスクリームは柔らかく凍らせた状態であるがゆえに、それを食べる人の早さや個人差にもよるが、多くの場合、柔らかく凍らせたソフトアイスクリーム自体の温度と、その表面に接している外気温度との温度差の影響によって、食べている間にソフトアイスクリームは否応なく溶け始めることが以外に多い。
そして、溶けて垂れ流れ落ち始めたどろどろした液状のソフトアイスクリーム液は、コーンの外側を伝って垂れ流れ落ち、コーンを握り持っている手にベタベタと付着して手を汚すなどの不便を強いられるケースも多い。さらに、その後処理に困ったという例も多く見られる。
しかし、たとえそんな状態になったとしても、食べている人は、気持ちの悪い思いをしながらも、ただ慌てて食べ続けるしかなかった。あるいは、無駄にはなるがそのまま処分することも多かった。そのように、多くの場合、その処理に大変困ったという事例は多かった。そんな嫌な思いを完全に無くしたのが本発明のコーン容器である。
それは、図１、図２、図３に示す実施例の如く、コーン容器の上部外側に鍔部（２）を設けた本発明品を使用することにより、これからは、老若男女誰でもが、ソフトアイスクリームを安心してゆっくりと味わいながら、楽しみながら食べられることを実現したものである。
特に、ソフトアイスクリームが大好きな小さな子供達、小学生低学年や幼稚園児、保育園児などがソフトアイスクリームを食べる時、今までは、溶けて垂れ流れ落ちてくるどろどろした液状のソフトアイスクリーム液が必ずと言えるほど、コーンを握り持っている子供達の手にベタベタと付着して汚し、子供自身もそうだが、その親たちはその後始末に大変手を焼いた苦い経験があるために、その後はなるべく子供にはソフトアイスクリームを食べさせないようにしているのが現状である。
そんな不便を解消し、溶けて垂れ流れ落ちてくるソフトアイスクリーム液が決してコーンを握り持つ手のところに垂れ流れ落ちてこないようにした、よって、まったく手を汚すこともなく、ソフトアイスクリームからコーンにいたるまで、全部を食べ切れるコーン容器の発明である。
本発明のコーン容器を使用するなら、これからは、ソフトアイスクリームを販売しているところがどんな場所であろうと、いつでも好きな時に食べたい時に食ベても、決して手を汚すなどの心配は一切なく、特に、小さな子供達、小学生低学年や幼稚園児、保育園児などにも安心して食べさせてやれるし、安心して食べることのできるコーン容器の発明である。
【００１８】
ソフトアイスクリームが溶けて垂れ流れ落ちる状態になったとき、場合によってはそれを販売している店の床に溶けたソフトアイスクリーム液の雫がポタポタと滴り落ちて、床を汚してしまって戸惑ったり、その処理をどうしたものか困った経験をされた人も多いと思う。
今までは、それも止む終えないこととして半ば諦めている人も多いと思われるが、しかし、その後始末に困ったり、あるいは、そのままその場を立ち去ったことを後で後悔したり、後味の悪い思いをされた人もいると思われるが、食べたソフトアイスクリームは大変美味しく満足だったとしても、溶けたソフトアイスクリーム液が垂れ流れ落ちて、店の床を汚したり、コーンを握り持った手にベタベタと付着して手を汚し、後始末に困った経験が苦い思いとして残り、ふたたび食べたいなと思ったとしても、何か躊躇させるものがある。などの、そんな思いをされている人も、本発明のコーン容器を使用するなら、そんな不便な思いをしなくて済む。そんな不便をすべて解消したコーン容器である。
コーンの上部外側に鍔部（２）を設けることにより、溶けたソフトアイスクリーム液が、器部（４）を越えて垂れ流れ落ちたとしても、まず鍔部でその液の先端を受け止めて、器部と鍔部の間に明けている空間（８）に一時溜め留め置き、やがて自然に溢れ出る液は、器部に数箇所数ミリメートル幅明けている間（９）を流れてコーン本体胴体内部空間（１０）に流れ込み、最下段（１１）に至って、順次、その空間に溜まる仕組みの構造にしていることで解決している。
本発明の、ソフトアイスクリーム溶け垂れ流れ液付着汚れ防止鍔部及び器部に流れ込み空間を設け更に胴体内部液溜め空間を有する一重構造型鍔部付きコーン容器を使用することにより、誰でもが、清潔に、行儀よく、ソフトアイスクリームの本来の美味しい味を味わいながら、ゆっくり楽しんで食べられるようにしたものである。
【００１９】
また、コーンの材料も従来通りのウエハース製など、食べられる材料を使って製造することが出来るので、コーンを最後まで食べることが出来る。よって、コーン容器を捨てることもない。もし、コーンを最後まで食べ切れなくて残し、店がそれを焼却処分した場合でも、材質の特性によって煙りはほとんど出ないで焼却できる。また、土に埋めて処分した場合には自然に土に戻る特性がある。このように、コーン容器は環境にもほとんど影響を及ぼさない環境にも優しい製品である。
【００２０】
また、本発明品の型枠に関しては新規になるが、製造工程においても製造技術に関しても従来通りでよいため、本発明品を実用化するにおいても新たな製造技術を修得する必要もなく、従来と何ら変わらない技術で従来通りの作業で、すぐにでも製造が出来るので、製品化も直ちに可能である。
【図面の簡単な説明】
【図１】一重構造型鍔部付きコーン容器の実施例を示す斜視図である。
【図２】一重構造型鍔部付きコーン容器の胴体内部側面に補強突起を設けた実施例を示す平面図である。
【図３】一重構造型鍔部付きコーン容器の胴体部に補強突起等を設けた実施例を示す斜視図及び胴体内部空間垂れ流れ液流れ込みを表した状態図である。
【図４】一重構造型鍔部付きコーン容器の図３を最下部真下から見た胴体外部側面に補強突起を設けた実施例を示す平面図である。
【図５（ａ）】一重構造型鍔部付きコーン容器の図３のｃｄ線の縦断面図である。
【図５（ｂ）】図５（ａ）における器部、鍔部、胴体部と胴体外部側面に補強突起を設けた実施例を示す図５（ａ）のｅｆ線の縦断面図である。
【図６】一重構造型鍔部付きコーン容器の図３の実施例を示す平面図である。
【図７】一重構造型鍔部付きコーン容器の胴体内部側面に補強突等を設けた実施例を示す縦断面図である。
【図８】一重構造型鍔付きコーンの胴体外部側面と胴体内部側面に補強突起等を設けた実施例を示す縦断面図である。
【図９（ａ）】一重構造型鍔部付きコーン容器の器部と鍔部の連結補強の構成とその最上部の高さを同一とし胴体内部側面の器部の内側下部付近から胴体内部空間の最下部まで補強突起を設けた場合の実施例を示す平面図である。
【図９（ｂ）】図９（ａ）の器部と鍔部の連結補強の構成とコーン胴体内部側面に設けた補強突起等のｇｈ線の右半分の実施例を示す縦断面図である。
【図１０（ａ）】一重構造型鍔部付きコーン容器の器部と鍔部の連結補強の構成とその最上部の高さを同一とし胴体内部側面の器部の内部側面最上部から胴体内部空間の最下部まで及び器部の内部側面下部付近から胴体内部空間の最下部までの２種類の補強突起を設けた実施例を示す平面図である。
【図１０（ｂ）】図１０（ａ）の器部と鍔部の連結補強の構成とコーン胴体内部側面に設けた補強突起は器部の内部側面最上部から胴体内部最下部まで至るｉｊ線の右半分の実施例を示す縦断面図である。
【図１１（ａ）】一重構造型鍔部付きコーン容器の器部と鍔部の連結補強の構成と補強の最上部の高さを数ミリメートル低くした時及び胴体内部側面に設けた補強突起の実施例を示す平面図である。
【図１１（ｂ）】図１１（ａ）の器部と鍔部の連結補強の構成とコーン胴体内部側面に設けた補強突起のｋｌ線の右半分の実施例を示す縦断面図である。
【図１２（ａ）】一重構造型鍔部付きコーン容器の器部と鍔部の連結補強の構成とコーン胴体内部側面に設けた補強突起の実施例を示す平面図である。
【図１２（ｂ）】図１２（ａ）の器部と鍔部の連結補強の構成とコーン胴体内部側面に設けた補強突起のｍｎ線の右半分の実施例を示す縦断面図である。
【図１３（ａ）（ｂ）（ｃ）】一重構造型鍔部付きコーン容器の器部と鍔部の連結補強の構成と、器部と鍔部の最上部の高さを変えて段差をつけた場合の構成で、鍔部と連結補強板の高さを揃えて数ミリメートル器部より低く下げた構成及び胴体外部側面に胴体補強突起を胴体外部側面に設けた場合（図１３（ａ））、胴体内部側面に設けた場合（図１３（ｂ））、胴体内外部側面にそれぞれ同時に設けた場合（図１３（ｃ））の実施例を示す縦断面図である。
【図１４】一重構造型鍔部付きコーン容器にソフトアイスクリームを入れた状態及びそれが溶けて垂れ流れ落ちる様子、そして垂れ流れ落ちる先端が鍔部と器部の間に明けている空間に流れ込む様子、並びにその先端が器部に数箇所明けている間に流れ込みその先端がコーン胴体内部空間に流れ込む様子の実施例を示す斜視図である。
【図１５（ａ）】従来型の単なる一重構造型コーン容器の斜視図である。
【図１５（ｂ）】図１５（ａ）の従来型の単なる一重構造型コーン容器にソフトアイスクリームを入れた状態及び溶けて垂れ流れ落ちる液の先端がコーンの外側へ垂れ流れ落ちる状態を示す斜視図である。
【図１６（ａ）】従来型の一重構造花びら型コーン容器の斜視図である。
【図１６（ｂ）】図１６（ａ）の従来型の一重構造花びら型コーン容器にソフトアイスクリームを入れた状態及び溶けて垂れ流れ落ちる液の先端が花びら型液受け部に受け止められてやがて溢れて垂れ落ちる状態を示す斜視図である。
【符号の説明】
１　コーン本体胴体部
２　ソフトアイスクリーム溶け垂れ流れ液受け止め鍔部
３　鍔部最上部
４　器部
５　器部最上部
６　ソフトアイスクリーム入れ器部突起のある受け台部
７　器部と鍔部の補強安定連結部
８　鍔部と器部の間に明けたソフトアイスクリーム液溶け垂れ流れ込み液一時溜め留め置き空間
９　器部の数箇所に数ミリメートルの幅明けている間で鍔部と器部の間の空間に溜まり留め置いた液が溢れ出るその先端をコーン胴体内部空間へ導き流し通す器部を分割している器部受け台と受け台の間に明けている空間
１０　コーン胴体内部空間で溶けて垂れ流れ落ちてくるソフトアイスクリーム液をコーンまで食べ終わる一定時間液を溜め留め置く空間
１１　コーン本体胴体内部空間最下部
１２　コーン本体胴体内部側面高さ数ミリメートルの補強突起で強度的に必要な本数を設けた突起
１３　コーン本体外部最下部
１４　コーン容器形成材料本体最下部の厚み
１５　コーン本体胴体外部側面高さ数ミリメートルの補強突起で強度的に必要な本数を設けた突起
１６　器部外側垂直面もしくは上部にすぼまる裾広がりの外部側面
１７　鍔部の内部側面漏斗型裾すぼまり内側面
１８　コーン本体内部側面補強突起、器部内部側面最上部からコーン本体内部側面最下部に至るコーン胴体内部補強突起
１９　コーン容器にソフトアイスクリームを螺旋状に入れた状態の上部付近
２０　溶けて垂れ流れ落ち始めたソフトアイスクリーム液の先端の状態２１　溶けて垂れ流れ落ちたソフトアイスクリーム液が鍔部で受け止められ器部に数箇所数ミリメートルの幅明けている間から胴体内部空間に流れ込んでいる液の先端の状態
２２　従来型の一重構造型コーン容器の上部器部
２３　従来型の一重構造型コーン容器の上部器部のソフトアイスクリーム受け突起付き台部
２４　従来型の一重構造型コーン胴体部
２５　従来型の一重構造型コーン容器の花びら型液受け部
２６　漏斗型に内向きに傾斜している器部内部側面
Ａ　器部外部垂直側面最下部と鍔部漏斗型内部側面がぶつかり一体となっている点
Ｂ　鍔部漏斗型内部側面の最下部及びＡ点で器部外部垂直側面と一体化して器部内部側面が胴体部と一体となる点及び鍔部と器部とコーン胴体上部がそこで一体化し最下部に至ってコーン本体全体を形成する
【図１】
2004057200.tif 000003
【図２】
2004057200.tif 000004
【図３】
2004057200.tif 000005
【図４】
2004057200.tif 000006
【図５】
2004057200.tif 000007
【図６】
2004057200.tif 000008
【図７】
2004057200.tif 000009
【図８】
2004057200.tif 000010
【図９】
2004057200.tif 000011
【図１０】
2004057200.tif 000012
【図１１】
2004057200.tif 000013
【図１２】
2004057200.tif 000014
【図１３】
2004057200.tif 000015
【図１４】
2004057200.tif 000016
【図１５】
2004057200.tif 000017
【図１６】
2004057200.tif 000018